(57)【要約】【課題】異なる周波数帯域に係る新たな無線リソースの割当ての仕組みを提供する。【解決手段】無線端末と無線通信を行うように構成される基地局は、記憶装置と、プロセッサとを有する。記憶装置は、無線端末の識別子に関連づけられたスケジューリングポリシーであって、第１の周波数帯域と第２の周波数帯域との少なくとも一方が無線通信に対して用いられることを示すスケジューリングポリシーを記憶するように構成される。プロセッサは、前記第１の周波数帯域と前記第２の周波数帯域に関するキャリアグリゲーションの実施を決定したときに、記憶装置に基づき、第一の無線端末の第一の識別子に関連づけられた第一のスケジューリングポリシーを決定し、第一のスケジューリングポリシーに基づき、第一の無線端末に無線リソースを割り当てるように構成される。【選択図】      図１２
2018056896.tif 000002
【特許請求の範囲】
【請求項１】
無線端末と無線通信を行うように構成される基地局であって
前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶するように構成された記憶装置と、
前記第１の周波数帯域と前記第２の周波数帯域に関するキャリアグリゲーションの実施を決定したときに、前記記憶装置に基づき、第一の無線端末の第一の識別子に関連づけられた第一のスケジューリングポリシーを決定し、
前記第一のスケジューリングポリシーに基づき、前記第一の無線端末に無線リソースを割り当てるように構成されるプロセッサと、
を有する基地局。
【請求項２】
前記無線端末から、前記無線端末の前記識別子に関連づけられた前記スケジューリングポリシーを受信するように構成された通信機を更に有し、
前記記憶装置は、
前記通信機が受信した前記スケジューリングポリシーを記憶する、
請求項１に記載の基地局。
【請求項３】
前記スケジューリングポリシーは、
前記無線端末によって送信される、ＵＥ  Ｃａｐａｂｉｌｉｔｙ  Ｉｎｆｏｒｍａｔｉｏｎメッセージに含められる、
請求項１または２に記載の基地局。
【請求項４】
前記ＵＥ  Ｃａｐａｂｉｌｉｔｙ  Ｉｎｆｏｒｍａｔｉｏｎメッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
請求項３記載の基地局。
【請求項５】
前記通信機は、
前記無線端末が前記基地局に対してアタッチ要求メッセージを送信するときに、前記スケジューリングポリシーを受信する、
請求項２記載の基地局。
【請求項６】
前記スケジューリングポリシーを、コアネットワーク装置から、受信するように構成されたネットワークインタフェースを更に有する、
請求項１記載の基地局。
【請求項７】
前記コアネットワーク装置から受信する前記スケジューリングポリシーは、
前記無線端末から前記基地局に対して送信されるアタッチ要求メッセージに含まれる前記無線端末を識別する識別子に関連する、
請求項６記載の基地局。
【請求項８】
基地局と無線通信を行うように構成される無線端末であって
無線端末の識別子に関連づけられたスケジューリングポリシーであって、第１の周波数帯域と第２の周波数帯域との少なくとも一方が前記無線通信に対して用いられることを示す前記スケジューリングポリシーを含むメッセージを、前記基地局に送信するように構成された送信機と、
前記第１の周波数帯域と前記第２の周波数帯域に関するキャリアグリゲーションの実施が決定されたあとに、前記スケジューリングポリシーに基づいて行われる無線リソースの割当てを受けるように構成された受信機と、
を有する無線端末。
【請求項９】
無線端末の識別子に関連づけられたスケジューリングポリシーであって、第１の周波数帯域と第２の周波数帯域との少なくとも一方が前記無線端末と基地局との無線通信に対して用いられることを示す前記スケジューリングポリシーを記憶するように構成された記憶装置と、
コアネットワークに含まれるコアネットワーク装置から前記無線端末の前記識別子を受信すると、前記スケジューリングポリシーを前記コアネットワーク装置に送信するように構成されたネットワークインタフェースとを有し、
前記第１の周波数帯域と前記第２の周波数帯域に関するキャリアグリゲーションの実施が決定されたあとに、前記スケジューリングポリシーに基づいて無線リソースが前記無線端末に割当てられる、
サーバ。
【請求項１０】
無線端末と無線通信を行うように構成される基地局の制御方法であって
前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶し、
前記第１の周波数帯域と前記第２の周波数帯域に関するキャリアグリゲーションの実施が決定されたときに、前記記憶されたスケジューリングポリシーの中から、第一の無線端末の第一の識別子に関連づけられた第一のスケジューリングポリシーを決定し、
前記第一のスケジューリングポリシーに基づき、前記第一の無線端末に無線リソースを割り当てる、
基地局の制御方法。
【発明の詳細な説明】
【技術分野】
【０００１】
本開示は、基地局、無線端末、サーバ、基地局の制御方法に関する。
【背景技術】
【０００２】
非特許文献１には、Licensed-Assisted Access（ＬＡＡ）が記載されている。ＬＡＡは、アンライセンスバンドを用いて、下りユーザデータを送信する方式である。アンライセンスバンドは、Long-Term Evolution（ＬＴＥ）以外の他の無線通信技術（例えば、ＷｉＦｉ（登録商標））にも使用される。
【０００３】
ＬＡＡ方式のセルは、キャリアアグリゲーションを活用し、ライセンスされたライセンスバンドを用いるＬＴＥ方式のセルとともに用いられる。
【先行技術文献】
【非特許文献】
【０００４】
【非特許文献１】TS36.300（3GPP TS 36.300 V13.3.0 (2016-03)、Evolved Universal Terrestrial Radio Access (Ｅ−ＵＴＲＡ) and Evolved Universal Terrestrial Radio Access Network (Ｅ−ＵＴＲＡＮ); Overall description; Stage 2）
【発明の概要】
【発明が解決しようとする課題】
【０００５】
しかし、非特許文献１には、キャリアアグリゲーションにおいて、ＬＡＡ方式のセルのみが単独で使用されることが記載されていない。
【０００６】
また、発明者は、基地局のスケジューラーが、無線端末が希望する無線リソースの割り当てを考慮しない場合があるケースを発見した。例えば、アンライセンスバンドのみにトラヒックを振り分けるような無線リソースの割当てがされない場合がある。これは、無線端末の識別子に関連づけられ、どの周波数帯域を用いるかを示す情報が、基地局の無線リソース割当にて考慮されていないことに起因する。
【０００７】
したがって、例示的な実施形態の目的の一つは、異なる周波数帯域に係る新たな無線リソースの割当ての仕組みを提供することにある。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００８】
例示的な実施形態における、無線端末と無線通信を行うように構成される基地局は、記憶装置とプロセッサを有する。記憶装置は、前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶するように構成される。プロセッサは、前記第１の周波数帯域と前記第２の周波数帯域に関するキャリアグリゲーションの実施を決定したときに、前記記憶装置に基づき、第一の無線端末の第一の識別子に関連づけられた第一のスケジューリングポリシーを決定し、前記第一のスケジューリングポリシーに基づき、前記第一の無線端末に無線リソースを割り当てるように構成される。
【０００９】
他の例示的な実施形態における、基地局と無線通信を行うように構成される無線端末は、送信機と受信機を有する。送信機は、無線端末の識別子に関連づけられたスケジューリングポリシーであって、第１の周波数帯域と第２の周波数帯域との少なくとも一方が前記無線通信に対して用いられることを示す前記スケジューリングポリシーを含むメッセージを、前記基地局に送信するように構成される。受信機は、前記第１の周波数帯域と前記第２の周波数帯域に関するキャリアグリゲーションの実施が決定されたあとに、前記スケジューリングポリシーに基づいて行われる無線リソースの割当てを受けるように構成される。
【００１０】
他の例示的な実施形態における、サーバは、記憶装置と、ネットワークインタフェースを有する。記憶装置は、無線端末の識別子に関連づけられたスケジューリングポリシーであって、第１の周波数帯域と第２の周波数帯域との少なくとも一方が前記無線端末と基地局との無線通信に対して用いられることを示す前記スケジューリングポリシーを記憶するように構成される。ネットワークインタフェースは、コアネットワークに含まれるコアネットワーク装置から前記無線端末の前記識別子を受信すると、前記スケジューリングポリシーを前記コアネットワーク装置に送信するように構成される。前記第１の周波数帯域と前記第２の周波数帯域に関するキャリアグリゲーションの実施が決定されたあとに、前記スケジューリングポリシーに基づいて無線リソースが前記無線端末に割当てられる。
【００１１】
他の例示的な実施形態における、無線端末と無線通信を行うように構成される基地局の制御方法は、前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶すること、前記第１の周波数帯域と前記第２の周波数帯域に関するキャリアグリゲーションの実施を決定したときに、前記記憶されたスケジューリングポリシーの中から、第一の無線端末の第一の識別子に関連づけられた第一のスケジューリングポリシーを決定すること、前記第一のスケジューリングポリシーに基づき、前記第一の無線端末に無線リソースを割り当てること、を含む。
【発明の効果】
【００１２】
例示的な実施形態によれば、異なる周波数帯域に係る新たな無線リソースの割当ての仕組みを提供することができる。
【図面の簡単な説明】
【００１３】
【図１】第１の例示的な実施形態の移動通信システムを示す。
【図２】第１の例示的な実施形態の基地局を示す。
【図３】第１の例示的な実施形態のスケジューリングポリシーの一例を示す。
【図４】第１の例示的な実施形態の動作を示す。
【図５】第１の例示的な実施形態のスケジューリングポリシーの他の例を示す。
【図６】第１の例示的な実施形態の動作を示す。
【図７】第２の例示的な実施形態の移動通信システムを示す。
【図８】第２の例示的な実施形態のスケジューリングポリシーの一例を示す。
【図９】第２の例示的な実施形態のスケジューリングポリシーの他の例を示す。
【図１０】第２の例示的な実施形態の動作を示す。
【図１１】第２の例示的な実施形態の動作を示す。
【図１２】第３の例示的な実施形態における基地局を示す。
【図１３】第３の例示的な実施形態における無線端末を示す。
【図１４】第３の例示的な実施形態におけるサーバを示す。
【発明を実施するための形態】
【００１４】
例示的な実施形態について、図面を参照して詳細が記述される。各図面において、同一又は対応する要素には同一の符号が付されており、記述の明確化のため、必要に応じて冗長な記述は省略される。
【００１５】
以下に説明される複数の例示的な実施形態は、独立に実施されることもできるし、適宜組み合わせて実施されることもできる。
【００１６】
１．第１の例示的な実施形態
図１は、第１の例示的な実施形態の移動通信システムを示す。
図１において、移動通信システムは、Evolved Universal Terrestrial Access Network（Ｅ−ＵＴＲＡＮ）１と、Evolved Packet Core （ＥＰＣ）２と、Packet Data Network（ＰＤＮ）３と、User Equipment（ＵＥ、無線端末ともいう）４とを含む。
【００１７】
Ｅ−ＵＴＲＡＮ１は、ｅＮＢ１１０と、ＬＡＡ基地局１４０とを含む。
【００１８】
ｅＮＢ１１０は、ライセンスされた周波数帯を用いて無線端末４に対して、情報通信サービスを提供する。
【００１９】
ＬＴＥセル１２０は、ｅＮＢ１１０によってカバーされるカバレッジエリアである。
【００２０】
ＬＡＡ基地局１４０は、ｅＮＢ１１０のＬＴＥセル１２０（カバレッジエリア）に設けられる。ＬＡＡ基地局１４０は、キャリアアグリゲーションを行うときに、ライセンス周波数を用いるｅＮＢ１１０と共に、アンライセンス周波数を用いて無線端末４に対し情報通信サービスを提供する。
【００２１】
ＬＡＡセル１５０は、ＬＡＡ基地局１４０がカバーするカバレッジエリアである。
【００２２】
ｅＮＢ１１０とＬＡＡ基地局１４０とは、基地局間インターフェース１３０にて接続されている。基地局間インターフェース１３０には、例えば、光ケーブル等の通信媒体が用いられる。例えば、基地局間インターフェース１３０として、Open Base Station Architecture Initiative (ＯＢＳＡＩ)やCommon Public Radio Interface (ＣＰＲＩ)といった汎用インターフェースが用いられても良い。
【００２３】
なお、ｅＮＢ１１０を制御及びベースバンド部（ＢＢＵ：Base Band Unit）とし、ＬＡＡ基地局１４０を無線部（ＲＲＨ：Remote Radio Head）とすることもできる。
【００２４】
無線端末４は、ｅＮＢ１１０とＬＡＡ基地局１４０との少なくとも一方と通信可能に構成されている。
【００２５】
ＥＰＣ２は、Mobility Management Entity（ＭＭＥ）２１０と、Serving Gateway（Ｓ−ＧＷ）２２０と、PDN Gateway（Ｐ−ＧＷ）２３０を含む。
【００２６】
図２は、第１の例示的な実施形態の基地局を示す。
図２において、ｅＮＢ１１０は、ＬＴＥ通信部１１１と、ＬＡＡ通信部１１２と、ＥＰＣ通信部１１３と、ＵＥ制御部１１４と、スケジューリングポリシー格納部１１５、受信データ格納部１１６と、スケジューリング部１１７を含む。
【００２７】
ＬＴＥ通信部１１１は、ライセンス周波数を用いてスケジューリング部１１７から受け取ったユーザデータを、無線端末４（ＵＥ）に送信する。ＬＴＥ通信部１１１は、ライセンス周波数を用いて、無線端末４からのユーザデータを受信する。ＬＴＥ通信部１１１は、ＵＥ制御部１１４がＵＥを制御するために必要な制御信号の送受信を行う。
【００２８】
ＬＡＡ通信部１１２は、ＬＡＡ基地局１４０を介してアンライセンス周波数を用いて、スケジューリング部１１７から受け取ったユーザデータを送信する。ＬＡＡ通信部１１２は、アンライセンス周波数を用いて、無線端末４からのユーザデータを受信できる。また、ＬＡＡ通信部１１２は、アンライセンス周波数を用いて、ＵＥ制御部１１４がＵＥを制御するのに必要な制御信号の送受信を行う。
【００２９】
ＥＰＣ通信部１１３は、ＥＰＣ２との間で、制御信号やユーザデータの送受信を行う。ＥＰＣ通信部１１３は、後述するスケジューリングポリシーを、コアネットワーク装置から、受信するように構成されたネットワークインタフェースとして機能してもよい。
【００３０】
ＵＥ制御部１１４は、ＬＴＥ通信部１１１及びＬＡＡ通信部１１２から制御信号を受信し、無線端末４の制御を行う。例えば、無線端末４がｅＮＢ１１０へのアタッチ動作を行う場合、アタッチに関する制御信号を、ＵＥ制御部１１４は送受信する。例えば、それら過程で得られた、ＵＥのスケジューリングポリシーに関する情報を、スケジューリングポリシー格納部１１５へ格納（記憶）する。例えば、ＵＥ制御部１１４は、無線端末４（ＵＥ）またはＨＳＳ（Home Subscriber Server）からスケジューリングポリシーを受信する。ＵＥ制御部１１４は、受信したスケジューリングポリシーを、スケジューリングポリシー格納部１１５に、無線端末４を識別する識別子（ＵＥ識別子）と共に、格納する。なお、例えば、ＵＥ制御部１１４を単に通信機と呼んでもよい。また、ＬＴＥ通信部１１１及びＬＡＡ通信部１１２の少なくとも一方と、ＵＥ制御部１１４とを含めて通信機と呼んでも良い。
【００３１】
スケジューリングポリシー格納部１１５は、ＵＥ制御部１１４より受け取ったＵＥのスケジューリングポリシー情報を格納する。
【００３２】
スケジューリング部１１７は、ＵＥ制御部１１４から、あるＵＥについてＬＡＡ通信部１１２を使用して通信が行われる（開始される）旨の通知を受ける。この通知を受けたスケジューリング部１１７は、スケジューリングポリシー格納部１１５から、スケジューリングポリシーを受信（取得）し、当該ＵＥに対して本ポリシーに基づいてスケジューリングを行う。ここで、スケジューリングポリシーは、当該ＵＥについてＥＰＣ通信部１１３より受信したデータをＬＴＥ通信部１１１及び／又はＬＡＡ通信部１１２に対して、どのように無線リソースを分配するかを表す。ＵＥに関連づけられたスケジューリングポリシーに従って、ＬＴＥ通信部１１１、ＬＡＡ通信部１１２、または両方の通信部に対して無線リソース（通信リソース）が割り当てられる。
【００３３】
無線端末４において測定された測定情報（例えば、無線品質の測定結果）を、ＬＴＥ通信部１１１及び／又はＬＡＡ通信部１１２から受信すると、ＵＥ制御部１１４は、無線端末４が、ｅＮＢ１１０とＬＡＡ基地局１４０のカバレッジ内にいるかどうかを確認する。確認結果に基づき、ＵＥ制御部１１４は、ＬＡＡ基地局１４０が当該無線端末４に対してｅＮＢ１１０と併せてデータを送信するか決定する（キャリアアグリゲーションの決定）。その結果が、ＵＥ識別子とともにスケジューリング部１１７に通知される。
【００３４】
なお、測定情報は、例えば、measurement reportである。measurement reportは、所定のreporting eventの一つがトリガされたタイミングで送信されてもよい。また、measurement reportは、周期的なレポートが設定されている場合、周期的レポートのタイマーが満了したタイミングで送信されてもよい。
【００３５】
図３は、第１の例示的な実施形態のスケジューリングポリシーの一例を示す。
図３において、スケジューリングポリシーは、ＵＥ識別子とスケジューリングポリシーの２つのカラムから構成されるテーブルとして、記憶される。ＵＥ識別子カラムには、Cell Radio Network Temporary Identifier（Ｃ−ＲＮＴＩ）などｅＮＢにおいてＵＥを一意に識別するための識別子が格納される。
【００３６】
スケジューリングポリシーカラムには、ＵＥ識別子カラムに格納されるＵＥ（無線端末４）がＬＴＥ通信部１１１およびＬＡＡ通信部１１２の両方の通信手段が使用可能な場合に適用されるスケジューリングポリシーが格納される。
【００３７】
例えば、「アンライセンスバンドのみ使用」や「ライセンスバンドのみ使用」、および「ライセンスバンドとアンライセンスバンドの両方を使用」というようなスケジューリングポリシーが格納される。
【００３８】
受信データ格納部１１６は、ＥＰＣ通信部１１３から受信した無線端末４宛のデータを一時的に格納する手段である（例えば、データをバッファリングするバッファである）。
【００３９】
スケジューリング部１１７は、無線リソースのスケジューリングを行う。このスケジューリングは、受信データ格納部１１６に格納されるＵＥ宛の受信データを、スケジューリングポリシー格納部１１５にＵＥに適用されるスケジューリングポリシーに従ってＵＥに送信するためのものである。
【００４０】
なお、無線リソースとは、例えば、リソースブロック、変調方式、符号化率の少なくとも一つを示す。スケジューリングとは、これら無線リソースが、あるUE宛に、所定周期（ＴＴＩ：Trans-mission Time Interval）ごとに割り当てられることを示す。UEは、これら割り当てが通知されるチャネル（ＰＤＣＣＨ: Physical downlink Control Channel)をモニタすることによって、割り当てられた無線リソースを知ることができる。
【００４１】
図４は、第１の例示的な実施形態の動作を示す。
図４は、スケジューリングポリシー格納部１１５に、無線端末４のスケジューリングポリシーを格納する場合の動作が、記述する。
【００４２】
無線端末４が、ｅＮＢ１１０へ最初にアタッチしたときに、ＲＲＣコネクションを確立するためのメッセージ交換が行われる。
【００４３】
Ｓ１０１において、無線端末４は、RRC:RRC CONNECTION REQUESTメッセージを、ｅＮＢ１１０に送信する。
【００４４】
Ｓ１０２において、ｅＮＢ１１０は、RRC:RRC CONNECTION SETUPメッセージを、無線端末４に送信する。
【００４５】
Ｓ１０３において、無線端末４は、RRC:RRC CONNECTION SETUP COMPLETEメッセージを、ｅＮＢ１１０に送信する。
【００４６】
Ｓ１０４において、ＵＥ制御部１１４は、無線端末４のｃａｐａｂｉｌｉｔｙ情報を取得するために、RRC:UE CAPABILITY ENQUERYメッセージを送信する。
【００４７】
Ｓ１０５において、無線端末４は、無線端末４のｃａｐａｂｉｌｉｔｙ情報を格納したRRC:UE CAPABILITY INFORMATIONメッセージを送信する。
【００４８】
ここで、例えば、本ｃａｐａｂｉｌｉｔｙ情報には、３２ビット長のfeatureGroupIndRel10が含まれてもよい。featureGroupIndRel10に含まれるビットに０、もしくは１をセットすることにより、無線端末４は、セットされたビットに対応する機能のサポートの有無を、ｅＮＢ１１０に対して通知できる。このfeatureGroupIndRel10内のビット列の中の例えば２ビット分を用いて、無線端末４（ＵＥ）内にセットされたスケジューリングポリシーを、ｅＮＢ１１０へ通知する。
【００４９】
このように、第１のビットと第２のビットとの組合せに基づいて、前記スケジューリングポリシーが、通知される。これによって、少ない情報量で、スケジューリングポリシーを通知することができる。
【００５０】
図５は、第１の例示的な実施形態のスケジューリングポリシーの他の例を示す。
図５は、featureGroupIndRel10内のビット列の２ビットの例が示される。
【００５１】
なお、この２ビットについては、あらかじめＳＩＭカード内に格納していても良い。なお、この２ビットについては、無線端末４のユーザインタフェース（不図示）に入力された情報（又は信号）によって自由にセットされても良い。
【００５２】
これを用いることにより、アンライセンスバンドが使用可能な場合の無線端末４のユーザが所望するスケジューリングポリシーをｅＮＢ１１０へ通知することができる。
【００５３】
ＵＥ制御部１１４が、RRC:UE CAPABILITY INFORMATIONメッセージを受信すると、本メッセージ内に格納されるＵＥのｃａｐａｂｉｌｉｔｙ情報を取得する。そして、取得した結果は、ＵＥを識別するＵＥ識別子と共に、スケジューリングポリシー格納部１１５へ格納される。
【００５４】
図６は、第１の例示的な実施形態の動作を示す。
図６において、ＵＥ制御部１１４が、ｅＮＢ１１０とＬＡＡ基地局１４０の両方を用いてＵＥに対してサービスを行うと判断し、その判断結果が、スケジューリング部１１７に通知された場合のスケジューリング部１１７の動作が、示される。
【００５５】
Ｓ２０１において、スケジューリング部１１７が、ＵＥ制御部１１４から、無線端末４に対してｅＮＢ１１０とＬＡＡ基地局１４０の両方を用いて無線端末４に対してサービスを行う旨の通知を受ける。スケジューリング部１１７は、受け取ったＵＥの識別子を用いて、スケジューリングポリシー格納部１１５より当該ＵＥのスケジューリングポリシーを取得する。
【００５６】
Ｓ２０２において、スケジューリングポリシーが「アンライセンスバンドのみ使用」するか否かが決定される。
【００５７】
Ｓ２０３（Ｓ２０２でＹｅｓの場合）において、以降、スケジューリング部１１７は、当該ＵＥに対してアンライセンスバンドのみを使用するように下りデータの送信をスケジューリングする。スケジューリング部１１７は、ＬＡＡ通信部１１２に対してのみ、下りデータを送信するようにスケジューリングする。
【００５８】
Ｓ２０４（Ｓ２０２でＮｏの場合）において、スケジューリングポリシーが「ライセンスバンドのみ使用」するか否かが決定される。
【００５９】
Ｓ２０５（Ｓ２０４でＹｅｓの場合）は、スケジューリングポリシーが「ライセンスバンドのみ使用」することを示す。Ｓ２０５において、スケジューリング部１１７は、当該ＵＥに対してライセンスバンドのみを使用するように下りデータの送信をスケジューリングする。スケジューリング部１１７は、ＬＴＥ通信部１１１に対してのみ下りデータを送信するようにスケジューリングする。
【００６０】
Ｓ２０６（Ｓ２０４でＮｏの場合）において、スケジューリングポリシーが「ライセンスバンドとアンライセンスバンドを併用」するか否かが決定される。
【００６１】
Ｓ２０７（Ｓ２０６でＹｅｓの場合）は、スケジューリングポリシーが「ライセンスバンドとアンライセンスバンドを併用」することを示す。Ｓ２０７において、スケジューリング部１１７は、以降、当該ＵＥに対してライセンスバンドとアンライセンスバンドを併用して下りデータの送信をスケジューリングする。スケジューリング部１１７は、ＬＴＥ通信部１１１とＬＡＡ通信部１１２に対して、下りデータを送信するようにスケジューリングする。
【００６２】
上述のとおり、ｅＮＢはＵＥのｃａｐａｂｉｌｉｔｙにセットされたアンライセンスバンドが使用できる場合のスケジューリングポリシーを、ＵＥがｅＮＢにアタッチしたときに取得し、ｅＮＢは本値をスケジューリングポリシー格納部に保存する。当該ＵＥがアンライセンスバンドも使用できる状態になれば保存したスケジューリングポリシーを取り出し、その内容に従って下りデータ送信をスケジューリングする。
【００６３】
本実施形態によれば、アンライセンスバンドとライセンスバンドとに係る新たな無線リソースの割当ての仕組みを提供することができる。例えば、アンライセンスバンドが使用できる場合、ユーザの好みに従って、下りデータをｅＮＢに送信させることができる。
【００６４】
２．第２の例示的な実施形態
図７は、第２の例示的な実施形態の移動通信システムを示す。
図７の移動通信システムは、図１に比して、加入者情報ＤＢ２５０、Ｗｅｂ端末５、Ｗｅｂサーバ６、ＨＳＳ２４０を含む点が異なる。他の構成については、第１の例示的な実施形態と同様であるため、構成及び動作の記述を省略する。
【００６５】
加入者情報ＤＢ２５０は、加入者の認証情報、サービス承認情報、アンライセンスバンドが使える際のスケジューリングポリシーを格納するように構成される。
【００６６】
ＨＳＳ２４０は、加入者情報ＤＢ２５０を参照しつつ、ＭＭＥ２１０からの問合せに対して、ＵＥ(無線端末４)の認証、サービス承認を行う。
【００６７】
Ｗｅｂ端末５は、Ｗｅｂサーバ６にアクセスする端末である。例えば、ユーザがＷｅｂ端末５を操作し、この操作に応じて生じた情報が、Ｗｅｂサーバ６に送信される。これによって、アンライセンスバンドが使える際のスケジューリングポリシーが変更される。
【００６８】
Ｗｅｂサーバ６は、Ｗｅｂ端末５からのスケジューリングポリシーの変更を受け付けるように構成される。Ｗｅｂサーバ６は、Ｗｅｂ端末５から、ＵＥ識別子とスケジューリングポリシーを受け取ると、その内容を加入者情報ＤＢ２５０へ登録する。ここで、ＵＥ識別子の一例として、例えばInternational Mobile Subscriber Identity（ＩＭＳＩ）またはInternational Mobile Equipment Identity（ＩＭＥＩ）を使用してもよい。
【００６９】
図８には、加入者情報ＤＢ２５０の内容の一例を示す。IMSIとスケジューリングポリシーとが対応付けられて格納されている。
【００７０】
図９は、スケジューリングポリシー格納部１１５のテーブルの一例を示す。本実施形態におけるｅＮＢ１１０の構成は、図２と同様である。但し、スケジューリングポリシー格納部１１５のテーブルにおいて、ｅＮＢ  ＵＥ  Ｓ１  Application Protocol（ＡＰ）  ＩＤとＭＭＥ  ＵＥ  Ｓ１  Application Protocol（ＡＰ）  ＩＤと共にスケジューリングポリシーが格納される。
【００７１】
図１０は、第２の例示的な実施形態の動作を示す。
【００７２】
Ｓ３０１において、Ｗｅｂ端末５は、Ｗｅｂサーバ６に対して、ＵＥ識別子とスケジューリングポリシーが格納されたスケジューリングポリシー登録要求を送信する。
【００７３】
Ｓ３０２において、Ｗｅｂサーバ６は、受信したＵＥ識別子とスケジューリングポリシーを加入者情報ＤＢ２５０に登録する。
【００７４】
Ｓ３０３において、Ｗｅｂサーバ６は、Ｗｅｂ端末５に対して、スケジューリングポリシー登録応答を送信する。
【００７５】
他の方法として、Ｗｅｂ端末が、ＵＥ識別子を、Ｗｅｂサーバ６に直接送信しなくてもよい。例えば、Ｗｅｂ端末５が、ＵＥ識別子情報を一意に特定するための情報（例えば、電話番号など）をＷｅｂサーバ６に対して送信し、Ｗｅｂサーバ６が当該情報を用いてＵＥ識別子を特定し、スケジューリングポリシー格納手段へ格納してもよい。
【００７６】
図１１は、ＵＥがｅＮＢ１１０にアタッチした場合の動作を示す。
【００７７】
Ｓ４０１において、無線端末４（ＵＥ）は、RRC Connection Requestメッセージを、ｅＮＢ１１０に送信する。
【００７８】
Ｓ４０２において、ｅＮＢ１１０は、RRC Connection Setupメッセージを、無線端末４に送信する。
【００７９】
Ｓ４０３において、ｅＮＢ１１０は、RRC Connection Completeメッセージを、無線端末４に送信する。
【００８０】
Ｓ４０４において、ｅＮＢ１１０は、RRC Connection Setup Completeメッセージの受信に応じて、S1AP:Initial UE MessageをＭＭＥ２１０に送信する。このとき、ｅＮＢ１１０は、受信したRRC Connection Setup Completeメッセージに格納されたAttach Requestを、Initial UE Messageメッセージに格納して転送する。
【００８１】
Ｓ４０５において、ＭＭＥ２１０は、Initial UE Messageに格納されたAttach Requestの受信に応じて、認証情報を要求するメッセージであるAuthentication Information RequestメッセージをＨＳＳ２４０に送信する。Authentication Information Requestメッセージには、ＵＥのＩＭＳＩ相当の情報がＵｓｅｒ−Ｎａｍｅ  ＡＶＰ（Attribute Value Pair）に格納されている。
【００８２】
Ｓ４０６において、ＨＳＳ２４０は、Authentication Information RequestメッセージのＵｓｅｒ−Ｎａｍｅ  ＡＶＰよりＵＥのＩＭＳＩを取り出す。ＨＳＳ２４０は、このＩＭＳＩを用いて加入者情報ＤＢ２５０から当該ＵＥ識別子に対応するスケジューリングポリシーを取得する。
【００８３】
Ｓ４０７において、ＨＳＳ２４０は、取得したスケジューリングポリシーをAuthentication Information Answerメッセージに載せて返信する。
【００８４】
Ｓ４０８及びＳ４０９において、ＭＭＥ２１０がAuthentication Information Answerメッセージを受信すると、スケジューリングポリシー情報を取り出した後、ＵＥを認証するためのＮＡＳメッセージの交換をＵＥとの間で行う。NAS: Authentication Requestメッセージ(S408)がＭＭＥ２１０からｅＮＢ１１０に送信される。これに応答して、NAS: Authentication Responseメッセージが、無線端末４からＭＭＥ２１０に送信される。
【００８５】
Ｓ４１０において、メッセージ交換の結果、ＵＥを認証する。認証が成功すると、Ｓ４１１が行われる。
【００８６】
Ｓ４１１において、ＭＭＥ２１０は、ｅＮＢ１１０に対して、ＭＭＥ  ＵＥ  Ｓ１ＡＰ  ＩＤと、Authentication Information Answerメッセージから取り出したスケジューリングポリシーをS1AP:INITIAL CONTEXT SETUP REQUESTメッセージに載せてｅＮＢ１１０へ送信する。
【００８７】
Ｓ４１２において、S1AP:INITIAL CONTEXT SETUP REQUESTメッセージをｅＮＢ１１０は、ＵＥを識別するｅＮＢ  ＵＥ  Ｓ１ＡＰ  ＩＤおよびＭＭＥ  ＵＥ  Ｓ１ＡＰ  ＩＤと共にスケジューリングポリシーを、スケジューリングポリシー格納部１１５へ格納する。格納された状況のイメージは、例えば、図９と同様である。
【００８８】
本実施例におけるスケジューリング部１１７の動作は、第１の例示的な実施形態と同様である。
【００８９】
３．第３の例示的な実施形態
図１２は、第３の例示的な実施形態における基地局を示す。
【００９０】
基地局３００は、無線端末と無線通信を行うように構成される。基地局３００は、記憶装置３１０と、プロセッサ３２０を有する。
【００９１】
記憶装置３１０は、無線端末の識別子に関連づけられたスケジューリングポリシーであって、第１の周波数帯域と第２の周波数帯域との少なくとも一方が無線通信に対して用いられることを示すスケジューリングポリシーを記憶するように構成される。
【００９２】
プロセッサ３２０は、前記第１の周波数帯域と前記第２の周波数帯域に関するキャリアグリゲーションの実施を決定したときに、記憶装置に基づき、第一の無線端末の第一の識別子に関連づけられた第一のスケジューリングポリシーを決定し、第一のスケジューリングポリシーに基づき、第一の無線端末に無線リソースを割り当てるように構成される。
【００９３】
図１３は、第３の例示的な実施形態における無線端末を示す。
【００９４】
無線端末４００は、基地局と無線通信を行うように構成される。無線端末４００は、送信機４１０と受信機４２０を有する。
【００９５】
送信機４１０は、無線端末の識別子に関連づけられたスケジューリングポリシーであって、第１の周波数帯域と第２の周波数帯域との少なくとも一方が無線通信に対して用いられることを示すスケジューリングポリシーを含むメッセージを、基地局に送信するように構成される。
【００９６】
前記第１の周波数帯域と前記第２の周波数帯域に関するキャリアグリゲーションの実施が決定されたあとに、スケジューリングポリシーに基づいて行われる無線リソースの割当てを受けるように構成される。
【００９７】
図１４は、第３の例示的な実施形態におけるサーバを示す。
【００９８】
サーバ５００は、記憶装置５１０と、ネットワークインタフェース５２０とを有する。
【００９９】
記憶装置５１０は、無線端末の識別子に関連づけられたスケジューリングポリシーであって、第１の周波数帯域と第２の周波数帯域との少なくとも一方が無線端末と基地局との無線通信に対して用いられることを示すスケジューリングポリシーを記憶するように構成される。
【０１００】
ネットワークインタフェース５２０は、コアネットワークに含まれるコアネットワーク装置から無線端末の識別子を受信すると、スケジューリングポリシーをコアネットワーク装置に送信するように構成される。
【０１０１】
前記第１の周波数帯域と前記第２の周波数帯域に関するキャリアグリゲーションの実施が決定されたあと、スケジューリングポリシーに基づいて無線リソースが無線端末に割当てられる。
【０１０２】
なお、ここでサーバとは、上述したＷｅｂサーバ６と加入者情報ＤＢ２５０とをまとめて、サーバと呼んでも良い。
【０１０３】
本実施形態によれば、異なる周波数帯域に係る新たな無線リソースの割当ての仕組みを提供することができる。
【０１０４】
４．実施形態の変形例
（第１の変形例）
上述の実施形態は、下りのデータのスケジューリングだけでなく、上りのデータのスケジューリングにも関する。つまり、スケジューリング部１１７は、下りだけでなく上り方向のスケジューリングにも対応できる。
【０１０５】
上り方向のデータ送信について、ＵＥがｅＮＢにスケジューリングを要求する（ＳＲ: Scheduling Request）。UEからのスケジューリング要求に応じて、ｅＮＢが、このＵＥに対して上り方向のリソースが割り当てる。
【０１０６】
したがって、ＵＥ  Ｃａｐａｂｉｌｉｔｙにスケジューリングのポリシーが格納される場合は、ＵＥがそのポリシーに従ってスケジューリングの要求をｅＮＢに対して行うことで実現が可能である。
【０１０７】
また、ネットワーク側でＷｅｂ端末・Ｗｅｂサーバを用いてスケジューリングポリシーを設定する場合は、そこで設定されたスケジューリングポリシーを所定のメッセージまたはシグナルにＩＥを追加することによって、通知できる。また、新規のメッセージを追加することでＵＥに通知することもできる。また、ＵＥは通知を受けたポリシーに従ってスケジューリングの要求をｅＮＢに対して行うことで実現が可能である。
【０１０８】
（第２の変形例）
上記において、アンライセンスバンドの通信手段としてＬＡＡ方式を、例示した。ただし、上記実施形態には、ＬＡＡ方式に限られず、他の方式に適用できる。例えば、他のライセンスバンドとアンライセンスバンドを併用する手段として、ＬＷＡ（LTE-WiFi Link Aggregation）を用いた場合においても適用することが可能である。
【０１０９】
（第３の変形例）
上記において、ＬＡＡのバックホールとしてｉｄｅａｌ  ｂａｃｋｈａｕｌ（光ファイバなどの相対的に高速（低遅延）の回線（Ideal  backhaul））を使用し、ＬＴＥとＬＡＡ間でキャリアアグリゲーションを行った場合について述べた。上記実施形態は、ｎｏｎ−ｉｄｅａｌ  ｂａｃｋｈａｕｌを使用し、ＬＴＥセルとＬＡＡセルをＤｕａｌ  Ｃｏｎｎｅｃｔｉｖｉｔｙで接続した場合についても、同様に適用することが可能である。Ｄｕａｌ  Ｃｏｎｎｅｃｔｉｖｉｔｙについては、Ｓｐｌｉｔ  Ｂｅａｒｅｒ方式に対して適用することが可能である。なお、Ｄｕａｌ  Ｃｏｎｎｅｃｔｉｖｉｔｙは、上記のように、LTEセルとLAAセルで行うことができる。Ｄｕａｌ  Ｃｏｎｎｅｃｔｉｖｉｔｙは、ライセンスバンドを用いるセル同士で行うこともできる。また、例えば、後述する第５及び第６の変形例に記載された異なるセルにおいて行うこともできる。
【０１１０】
（第４の変形例）
上記において、スケジューリングポリシーはどちらか一方のバンドのみを使用する、および両方のバンドを使用するというポリシーであったが、必ずしもこれだけに限定されない。
【０１１１】
例えば、アンライセンスバンド側のビットレートがある閾値以上ならアンライセンスバンドのみを使用する。または、その閾値を下回ればライセンスバンドも併用もしくはライセンスバンドのみ、とするというポリシーが用いられてもよい。
【０１１２】
また、例えば、今月のパケット料金がxx円未満であればライセンスバンドとアンライセンスバンドを併用する。または、今月のパケット料金が、xx円以上となればアンライセンスバンドのみ使用するというポリシーが用いられても良い。
【０１１３】
（第５の変形例）
上記では、ライセンスバンドとアンライセンスバンドという分け方で、２セル間のスケジューリングポリシーについて述べた。ただし、上記例示的な実施形態は２セルのキャリアアグリゲーションのケースに限定されるわけではなく、３セル以上の場合にも適用することが可能である。
【０１１４】
（第６の変形例）
上記では、ライセンスバンド、アンライセンスバンドという分け方で、スケジューリングのポリシーを決めたが、必ずしもこの分け方に限定されず、別のセルの特徴で、ポリシーを適用することも可能である。その特徴とは、例えば伝搬特性であってもよいし、利用料金の差を生じさせるような何らかの特徴であってもよい。
【０１１５】
例えば、高い周波数帯域を使用するセルと、低い周波数帯域を使用するセルを併用する場合にポリシーに応じて、使用する周波数を選択することができる。また、第５世代の無線移動体通信にかかる５Ｇ(generation)セルと４Ｇセルを併用する場合に、ポリシーに応じて、使用するセルを選択することができる。
【０１１６】
（第７の変形例）
上記では、異なる周波数帯域に関するスケジューリングポリシーに応じて、スケジューリングが行われた。例えば、異なる周波数帯域の代わりに、異なるセルが用いられてもよい。ここで、異なるセルは、同じ周波数帯域における異なる周波数によって区別できる。また、例えば、異なるセルは、同じ周波数を使うものであって異なるコード（例えば拡散符号）によって区別できるものであってもよい。
【０１１７】
５．関連技術
アンライセンスバンドについて、発明者は以下の検討を行った。
【０１１８】
まず、アンライセンスバンドは、使用する周波数帯を複数の機器によって共用される。また、この帯域を用いる通信はＱｏＳを保証できない。このため、例えば公衆ＷｉＦｉの通信サービスの料金は、ライセンスバンドを用いるＬＴＥ等の通信サービスの料金と比較し、無料もしくは低く抑えられた料金で提供される。したがって、オペレータがＬＡＡのサービスを提供する場合、アンライセンスバンドを使用する通信に関しては、無料もしくは低廉な料金で提供することが考えられる。
【０１１９】
もしこのようにライセンスバンドを使用する場合とアンライセンスバンドを使用する場合との間に料金差が生じた場合、状況に応じてユーザがどちらの周波数バンドを用いて通信を行うか選択できるようにしてもよい。例えば、ＷｉＦｉ並みの通信品質でとにかく低廉な料金で通信したい場合は、ＬＡＡのみを使用することができる。また、音声通信など品質が重要な場合は、ライセンスバンドを用いるＬＴＥのみを使用することができる。また、とにかく高いスループットを所望する場合はＬＴＥとＬＡＡの両方を使用することができる。このように、状況に応じてユーザが任意に選択できるような仕組みが期待される。
【０１２０】
本実施形態によれば、  例えば、プライマリーセルもしくはセカンダリーセルに対して、どの程度の量のトラヒックを振り分けるのか、設定することができる。
【０１２１】
この設定は、例えば、無線端末を使用するユーザが希望する情報に基づき行われてもよい。例えば、ＬＡＡセルがセカンダリーセルとしてキャリアアグリゲーションされる環境において、アンライセンスバンドを用いるＬＡＡセルのみを用いて通信を行うことを希望する場合、アンライセンスバンドのみにトラヒックを振り分けることができる。非特許文献１記載のキャリアアグリゲーション技術において、アンライセンスバンドのみにトラヒックを振り分ける指定が無線端末における希望を考慮して行われない。
【０１２２】
このように、例示的な実施形態において、新たなスケジューリングに関する仕組みが提供された。これによって、例えば、複数の通信手段が使用できる環境において、ユーザの希望に応じてトラヒックを振り分けることができる。
【０１２３】
６．他の例示的な実施形態
上記において、ＵＥ（無線端末）の識別子は、Subscriber Identity Module Card（ＳＩＭ）カードに格納されてもよいし、ＵＥに設けられた記憶装置（メモリ）に格納されてもよい。また、スケジューリングポリシーは、ＳＩＭカードに格納されてもよいし、ＵＥに設けられた記憶装置（メモリ）に格納されてもよい。ＵＥは、ｅＮＢにメッセージを送る際に、ＳＩＭカード及び記憶装置の少なくとも一方から、ＵＥの識別子に関連づけられたスケジューリングポリシーを送信するように構成できる。
【０１２４】
上記において、通信システムに設けられた各構成要素が行う処理は、目的に応じてそれぞれ作製された論理回路で行うようにしても良い。
【０１２５】
また、処理内容を手順として記述したコンピュータプログラム（以下、プログラムと称する）を、通信システムを構成する要素のそれぞれにて読取可能な記録媒体に記録し、この記録媒体に記録されたプログラムが無線通信システムの各構成要素それぞれに読み込まれ、実行されるものであっても良い。
【０１２６】
この記録媒体に記録されたプログラムは、通信システムの各構成要素それぞれに設けられたCentral Processing Unit (ＣＰＵ)にて読み込まれ、ＣＰＵの制御によって、上述したものと同様の処理が行われる。ここで、CPUは、プログラムが記録された記録媒体から読み込まれたプログラムを実行するコンピュータとして動作するものである。
【０１２７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ、ＣＤ−Ｒ／Ｗ、Digital Versatile Disk (DVD)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２８】
本発明は上述した実施の形態のみに限定されるものではなく、既に述べた本発明の要旨を逸脱しない範囲において種々の変更が可能であることは勿論である。本明細書で説明したそれぞれの実施形態による機能またはステップおよび/または動作は特定の順序で実行しなくてもよい。さらに、本発明の要素は、単数形で説明または請求されていることがあるが、単数形に限定することが明示的に述べられていない限り、複数形であってもよい。
【０１２９】
＜付記＞
例示的な実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
無線端末と無線通信を行うように構成される基地局であって
前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶するように構成された記憶装置と、
前記第１の周波数帯域と前記第２の周波数帯域に関するキャリアグリゲーションの実施を決定したときに、前記記憶装置に基づき、第一の無線端末の第一の識別子に関連づけられた第一のスケジューリングポリシーを決定し、
前記第一のスケジューリングポリシーに基づき、前記第一の無線端末に無線リソースを割り当てるように構成されるプロセッサと、
を有する基地局。
（付記２）
前記無線端末から、前記無線端末の前記識別子に関連づけられた前記スケジューリングポリシーを受信するように構成された通信機を更に有し、
前記記憶装置は、
前記通信機が受信した前記スケジューリングポリシーを記憶する、
付記１に記載の基地局。
（付記３）
前記スケジューリングポリシーは、
前記無線端末によって送信される、ＵＥ  Ｃａｐａｂｉｌｉｔｙ  Ｉｎｆｏｒｍａｔｉｏｎメッセージに含められる、
付記１または２に記載の基地局。
（付記４）
前記ＵＥ  Ｃａｐａｂｉｌｉｔｙ  Ｉｎｆｏｒｍａｔｉｏｎメッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
付記３記載の基地局。
（付記５）
前記通信機は、
前記無線端末が前記基地局に対してアタッチ要求メッセージを送信するときに、前記スケジューリングポリシーを受信する、
付記２記載の基地局。
（付記６）
前記スケジューリングポリシーを、コアネットワーク装置から、受信するように構成されたネットワークインタフェースを更に有する、
付記１記載の基地局。
（付記７）
前記コアネットワーク装置から受信する前記スケジューリングポリシーは、
前記無線端末から前記基地局に対して送信されるアタッチ要求メッセージに含まれる前記無線端末を識別する識別子に関連する、
付記６記載の基地局。
（付記８）
基地局と無線通信を行うように構成される無線端末であって
無線端末の識別子に関連づけられたスケジューリングポリシーであって、第１の周波数帯域と第２の周波数帯域との少なくとも一方が前記無線通信に対して用いられることを示す前記スケジューリングポリシーを含むメッセージを、前記基地局に送信するように構成された送信機と、
前記第１の周波数帯域と前記第２の周波数帯域に関するキャリアグリゲーションの実施が決定されたあとに、前記スケジューリングポリシーに基づいて行われる無線リソースの割当てを受けるように構成された受信機と、
を有する無線端末。
（付記９）
前記スケジューリングポリシーは、
前記無線端末によって送信される、ＵＥ Ｃａｐａｂｉｌｉｔｙ Ｉｎｆｏｒｍａｔｉｏｎメッセージに含められる、
付記８に記載の無線端末。
（付記１０）
前記メッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
付記９記載の無線端末。
（付記１１）
前記送信機は、
前記無線端末が前記基地局に対してアタッチ要求メッセージを送信するときに、前記スケジューリングポリシーを送信する、
付記８記載の無線端末。
（付記１２）
無線端末の識別子に関連づけられたスケジューリングポリシーであって、第１の周波数帯域と第２の周波数帯域との少なくとも一方が前記無線端末と基地局との無線通信に対して用いられることを示す前記スケジューリングポリシーを記憶するように構成された記憶装置と、
コアネットワークに含まれるコアネットワーク装置から前記無線端末の前記識別子を受信すると、前記スケジューリングポリシーを前記コアネットワーク装置に送信するように構成されたネットワークインタフェースとを有し、
前記第１の周波数帯域と前記第２の周波数帯域に関するキャリアグリゲーションの実施が決定されたあとに、前記スケジューリングポリシーに基づいて無線リソースが前記無線端末に割当てられる、
サーバ。
（付記１３）
前記ネットワークインタフェースは、
前記無線端末が前記基地局に対してアタッチ要求メッセージを送信するときに、前記スケジューリングポリシーを、前記コアネットワーク装置に送信する、
付記１２記載のサーバ。
（付記１４）
前記コアネットワーク装置に送信するスケジューリングポリシーは、
前記無線端末から前記基地局に対して送信されるアタッチ要求メッセージに含まれる前記無線端末を識別する識別子に関連する、
付記１３記載のサーバ。
（付記１５）
無線端末と無線通信を行うように構成される基地局の制御方法であって
前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶し、
前記第１の周波数帯域と前記第２の周波数帯域に関するキャリアグリゲーションの実施を決定したときに、前記記憶されたスケジューリングポリシーの中から、第一の無線端末の第一の識別子に関連づけられた第一のスケジューリングポリシーを決定し、
前記第一のスケジューリングポリシーに基づき、前記第一の無線端末に無線リソースを割り当てる、
基地局の制御方法。
（付記１６）
前記記憶する前記スケジューリングポリシーは、前記無線端末から受信し、
前記スケジューリングポリシーは、前記スケジューリングポリシーを送信した無線端末の前記識別子に関連づけられる、
付記１５に記載の基地局の制御方法。
（付記１７）
前記スケジューリングポリシーは、
前記無線端末によって送信される、ＵＥ Ｃａｐａｂｉｌｉｔｙ Ｉｎｆｏｒｍａｔｉｏｎメッセージに含められる、
付記１５または１６に記載の基地局の制御方法。
（付記１８）
前記ＵＥ Ｃａｐａｂｉｌｉｔｙ Ｉｎｆｏｒｍａｔｉｏｎメッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
付記１７記載の基地局の制御方法。
（付記１９）
前記無線端末が前記基地局に対してアタッチ要求メッセージを送信するときに、前記スケジューリングポリシーを受信する、
付記１６記載の基地局の制御方法。
（付記２０）
前記スケジューリングポリシーを、コアネットワーク装置から、受信する、
付記１５記載の基地局の制御方法。
（付記２１）
前記コアネットワーク装置から受信する前記スケジューリングポリシーは、
前記無線端末から前記基地局に対して送信されるアタッチ要求メッセージに含まれる前記無線端末を識別する識別子に関連する、
付記２０記載の基地局の制御方法。
（付記２２）
基地局と無線通信を行うように構成される無線端末の制御方法であって
無線端末の識別子に関連づけられたスケジューリングポリシーであって、第１の周波数帯域と第２の周波数帯域との少なくとも一方が前記無線通信に対して用いられることを示す前記スケジューリングポリシーを含むメッセージを、前記基地局に送信し、
前記第１の周波数帯域と前記第２の周波数帯域に関するキャリアグリゲーションの実施が決定されたあとに、前記スケジューリングポリシーに基づいて行われる無線リソースの割当てを受ける、
無線端末の制御方法。
（付記２３）
前記スケジューリングポリシーは、
前記無線端末によって送信される、ＵＥ Ｃａｐａｂｉｌｉｔｙ Ｉｎｆｏｒｍａｔｉｏｎメッセージに含められる、
付記２２に記載の無線端末の制御方法。
（付記２４）
前記メッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
付記２３記載の無線端末の制御方法。
（付記２５）
前記スケジューリングポリシーは、
前記無線端末が前記基地局に対してアタッチ要求メッセージを送信するときに、送信される、
付記２２乃至２４記載の少なくとも一項に記載の無線端末の制御方法。
（付記２６）
無線端末の識別子に関連づけられたスケジューリングポリシーであって、第１の周波数帯域と第２の周波数帯域との少なくとも一方が前記無線端末と基地局との無線通信に対して用いられることを示す前記スケジューリングポリシーを記憶し、
コアネットワークに含まれるコアネットワーク装置から前記無線端末の前記識別子を受信すると、前記スケジューリングポリシーを前記コアネットワーク装置に送信し、
前記第１の周波数帯域と前記第２の周波数帯域に関するキャリアグリゲーションの実施が決定されたあとに、前記スケジューリングポリシーに基づいて無線リソースが前記無線端末に割当てられる、
サーバの制御方法。
（付記２７）
前記無線端末が前記基地局に対してアタッチ要求メッセージを送信するときに、前記スケジューリングポリシーが、前記コアネットワーク装置に送信される、
付記２６記載のサーバの制御方法。
（付記２８）
前記コアネットワーク装置に送信するスケジューリングポリシーは、
前記無線端末から前記基地局に対して送信されるアタッチ要求メッセージに含まれる前記無線端末を識別する識別子に関連する、
付記２７記載のサーバの制御方法。
（付記２９）
無線端末の識別子に関連づけられたスケジューリングポリシーであって、第１の周波数帯域と第２の周波数帯域との少なくとも一方が前記無線端末と基地局との無線通信に対して用いられることを示す前記スケジューリングポリシーを記憶し、
前記第１の周波数帯域と前記第２の周波数帯域に関するキャリアグリゲーションの実施を決定したときに、前記記憶装置に基づき、第一の無線端末の第一の識別子に関連づけられた第一のスケジューリングポリシーを決定し、
前記第一のスケジューリングポリシーに基づき、前記第一の無線端末に無線リソースを割り当てる、
ことをコンピュータに実行させるためのプログラム。
（付記３０）
前記記憶する前記スケジューリングポリシーは、前記無線端末から受信し、
前記スケジューリングポリシーは、前記スケジューリングポリシーを送信した無線端末の前記識別子に関連づけられる、
付記２９に記載のプログラム。
（付記３１）
前記スケジューリングポリシーは、
前記無線端末によって送信される、ＵＥ Ｃａｐａｂｉｌｉｔｙ Ｉｎｆｏｒｍａｔｉｏｎメッセージに含められる、
付記２９または３０に記載のプログラム。
（付記３２）
前記ＵＥ Ｃａｐａｂｉｌｉｔｙ Ｉｎｆｏｒｍａｔｉｏｎメッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
付記３１記載のプログラム。
（付記３３）
前記無線端末が前記基地局に対してアタッチ要求メッセージを送信するときに、前記スケジューリングポリシーを受信する、
付記３０記載のプログラム。
（付記３４）
無線端末と、
基地局を有する通信システムであって、
前記基地局は、
無線端末と無線通信を行うように構成され、
前記無線端末の識別子に関連づけられたスケジューリングポリシーであって、第１の周波数帯域と第２の周波数帯域との少なくとも一方が前記無線通信に対して用いられることを示す前記スケジューリングポリシーを記憶するように構成され、
前記第１の周波数帯域と前記第２の周波数帯域に関するキャリアグリゲーションの実施を決定したときに、前記記憶装置に基づき、第一の無線端末の第一の識別子に関連づけられた第一のスケジューリングポリシーを決定し、
前記第一のスケジューリングポリシーに基づき、前記第一の無線端末に無線リソースを割り当てるように構成される、
通信システム。
（付記３５）
前記無線端末は、
前記無線端末の前記識別子に関連づけられた前記スケジューリングポリシーを送信し、
前記基地局は、
前記無線端末から受信した前記スケジューリングポリシーを記憶する、
付記３４に記載の通信システム。
（付記３６）
前記スケジューリングポリシーは、
前記無線端末によって送信される、ＵＥ  Ｃａｐａｂｉｌｉｔｙ  Ｉｎｆｏｒｍａｔｉｏｎメッセージに含められる、
付記３４または３５に記載の通信システム。
（付記３７）
前記ＵＥ  Ｃａｐａｂｉｌｉｔｙ  Ｉｎｆｏｒｍａｔｉｏｎメッセージは、
第１の周波数帯域を使用するか否かを示す第１のビットと、
第２の周波数帯域を使用するか否かを示す第２のビットと、
を含み、
前記第１のビットと前記第２のビットとの組合せに基づいて、前記スケジューリングポリシーが、通知される、
付記３６記載の通信システム。
（付記３８）
前記基地局は、
前記無線端末が前記基地局に対してアタッチ要求メッセージを送信するときに、前記スケジューリングポリシーを受信する、
付記３５記載の通信システム。
（付記３９）
前記基地局は、
前記スケジューリングポリシーを、コアネットワーク装置から、受信する、
付記３４記載の通信システム。
（付記４０）
前記コアネットワーク装置から受信する前記スケジューリングポリシーは、
前記無線端末から前記基地局に対して送信されるアタッチ要求メッセージに含まれる前記無線端末を識別する識別子に関連する、
付記３９記載の通信システム。
【符号の説明】
【０１３０】
１  Ｅ−ＵＴＲＡＮ
２  ＥＰＣ
３  ＰＤＮ
４  無線端末
５  Ｗｅｂ端末
６  Ｗｅｂサーバ
１１０  ｅＮＢ
１１１  ＬＴＥ通信部
１１２  ＬＡＡ通信部
１１３  ＥＰＣ通信部
１１４  ＵＥ制御部
１１５  スケジューリングポリシー格納部
１１６  受信データ格納部
１１７  スケジューリング部
１２０  ＬＴＥセル
１３０  基地局間インターフェース
１４０  ＬＡＡ基地局
１５０  ＬＡＡセル
２１０  ＭＭＥ
２２０  Ｓ−ＧＷ
２３０  Ｐ−ＧＷ
２４０  ＨＳＳ
２５０  加入者情報ＤＢ
３００  基地局
３１０  記憶装置
３２０  プロセッサ
４００  無線端末
４１０  送信機
４２０  受信機
５００  サーバ
５１０  記憶装置
５２０  ネットワークインタフェース
【図１】
2018056896.tif 000003
【図２】
2018056896.tif 000004
【図３】
2018056896.tif 000005
【図４】
2018056896.tif 000006
【図５】
2018056896.tif 000007
【図６】
2018056896.tif 000008
【図７】
2018056896.tif 000009
【図８】
2018056896.tif 000010
【図９】
2018056896.tif 000011
【図１０】
2018056896.tif 000012
【図１１】
2018056896.tif 000013
【図１２】
2018056896.tif 000014
【図１３】
2018056896.tif 000015
【図１４】
2018056896.tif 000016
【手続補正書】
【提出日】平成29年9月14日(2017.9.14)
【手続補正１】
【補正対象書類名】明細書
【補正対象項目名】００７９
【補正方法】変更
【補正の内容】
【００７９】
Ｓ４０３において、無線端末４は、RRC Connection Setup Completeメッセージを、ｅＮＢ１１０に送信する。